(57)【要約】【課題】玄関先などに降り積もり、踏み固められて圧雪やアイスバーンとなった氷雪を、割り砕いて取り除くための氷雪割り具に関し、路面や氷雪の凹凸に引っ掛かることなく、スムーズに作業ができる。【解決手段】針状刃先固定棒１４の大径部１４ｂが保持柄１１の端面に接当し、針状刃先固定棒１４の大径部１４ｂから針状刃先１２側を徐々に小径となる傾斜面１４ｃとし、針状刃先固定棒１４の大径部１４ｂを保持柄１１の外径より大とした。【選択図】図４
0003101992.tif 000002
【実用新案登録請求の範囲】
【請求項１】
管状の保持柄と、保持柄の一端に挿入され着脱可能に固定される針状刃先固定棒と、針状刃先固定棒に挿入され固定される一本の針状刃先とからなる氷雪割り具において、針状刃先固定棒の大径部が保持柄の端面に接当し、針状刃先固定棒の大径部から針状刃先側を徐々に小径となる傾斜面とした氷雪割り具の針状刃先固定棒。
【請求項２】
管状の保持柄と、保持柄の一端に挿入され着脱可能に固定される針状刃先固定棒と、針状刃先固定棒に挿入され固定される一本の針状刃先とからなる氷雪割り具において、針状刃先固定棒の大径部が保持柄の端面に接当し、針状刃先固定棒の大径部を保持柄の外径より大とした氷雪割り具の針状刃先固定棒。
【考案の詳細な説明】
【技術分野】
【０００１】
本考案は、玄関先などに降り積もり、踏み固められて圧雪やアイスバーンとなった氷雪を、割り砕いて取り除くための氷雪割り具に関する。
【背景技術】
【０００２】
積雪地帯では、玄関先や歩道，屋外駐車場などの通路に冬季間に降り積もった雪が足や車に踏み固められ、圧雪やアイスバーンとなった氷雪は春先まで残り、通路に残っているとその氷雪に足をとられ危険なため、割り砕いて取り除くことが行われる。
【０００３】
従来、一般的に行われている氷雪を割り砕く作業には「つるはし」（ピッケル）が使用されている。「つるはし」はその重さを利用して打ち下ろし、氷雪を打ち砕くものであるが、「つるはし」の先端が氷雪で滑って足先に向かってきたり、打ち砕かれた氷雪片が四方に飛び散ったり、危険を伴う作業である。
【０００４】
さらに、「つるはし」は重いので、非力な婦女子や老人にはそれを使用して作業することすら不可能である。しかし、一般家庭ではそのような人が日中に家にいることが多く、そのような非力な人でも、安全に氷雪を割り砕く作業ができる道具が要望されている。
【０００５】
このような、非力な人でも安全に氷雪を割り砕く作業ができる道具として、本件出願人が実願２００３−２１２０号にて提案したように、両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具が知られている。
【０００６】
この氷雪割り具は、尖った円錐形状の先端部を路面と氷雪の間にほぼ水平に挿入することで、非力な婦女子や老人でも安全に作業ができるものである。
【特許文献１】実願２００３−２１２０号
【考案の開示】
【考案が解決しようとする課題】
【０００７】
上記の実願２００３−２１２０号に示される氷雪割り具は、図７に示すように、氷雪割り具１１０の針状刃先固定棒１１４の大径部が保持柄１１１の端面に接当して、保持柄１１１に加えられた力を針状刃先１１２に伝えるものであるが、針状刃先固定棒１１４の大径部の針状刃先１１２側が垂直面であり、針状刃先固定棒１１４の大径部を保持柄１１１の外径と同一としていた。
【０００８】
そのため、尖った円錐形状の先端部を路面と氷雪の間にほぼ水平に挿入する際に、針状刃先固定棒１１４の大径部が路面や氷雪の凹凸に引っ掛かることや、保持柄１１１の端面が路面や氷雪の凹凸によりめくれ、そのめくれた保持柄１１１が路面や氷雪の凹凸に引っ掛かることがあり、スムーズな作業の妨げとなっていた。
【０００９】
そこで本考案では、針状刃先固定棒の大径部が路面や氷雪の凹凸に引っ掛かるおそれが無く、保持柄の端面が路面や氷雪の凹凸によりめくれるおそれの無い、氷雪割り具の針状刃先固定棒を提供する事を目的とする。
【課題を解決するための手段】
【００１０】
請求項１の考案における氷雪割り具の針状刃先固定棒は、管状の保持柄１１と、保持柄１１の一端に挿入され着脱可能に固定される針状刃先固定棒１４と、針状刃先固定棒１４に挿入され固定される一本の針状刃先１２とからなる氷雪割り具１０において、針状刃先固定棒１４の大径部１４ｂが保持柄１１の端面に接当し、針状刃先固定棒１４の大径部１４ｂから針状刃先１２側を徐々に小径となる傾斜面１４ｃとしたものである。
【００１１】
請求項２の考案における氷雪割り具の針状刃先固定棒は、管状の保持柄１１と、保持柄１１の一端に挿入され着脱可能に固定される針状刃先固定棒１４と、針状刃先固定棒１４に挿入され固定される一本の針状刃先１２とからなる氷雪割り具１０において、針状刃先固定棒１４の大径部１４ｂが保持柄１１の端面に接当し、針状刃先固定棒１４の大径部１４ｂを保持柄１１の外径より大としたものである。
【考案の効果】
【００１２】
請求項１の考案によれば、針状刃先固定棒１４の大径部１４ｂから針状刃先１２側を徐々に小径となる傾斜面１４ｃとし、傾斜面１４ｃにより針状刃先固定棒１４の大径部１４ｂが路面１や氷雪２の凹凸に引っ掛かることが無いから、スムーズに氷雪２を割り砕く作業ができる。
【００１３】
請求項２の考案によれば、針状刃先固定棒１４の大径部１４ｂが保持柄１１の端面に接当し、針状刃先固定棒１４の大径部１４ｂを保持柄１１の外径より大とし、大径部１４ｂのみが路面１や氷雪２に接し、保持柄１１の端面が路面１や氷雪２の凹凸によりめくれることが無いから、スムーズに氷雪２を割り砕く作業ができる。
【考案を実施するための最良の形態】
【００１４】
尖った円錐形状の先端部を路面と氷雪の間にほぼ水平に挿入して氷雪を割り砕く際にも、スムーズな作業を実現した。
【実施例１】
【００１５】
以下、本考案の一実施例につき図面を参照して説明する。
【００１６】
図１に示すのは、路面１に薄く踏み固められた氷雪２の場合に、路面１と氷雪２の間に針状刃先１２をほぼ水平に挿入する状態の氷雪割り具１０である。
【００１７】
図２に示すのは、路面１に厚く踏み固められた氷雪２の場合に、氷雪２にほぼ垂直に突き刺す状態の氷雪割り具１０である。
【００１８】
氷雪割り具１０には、両端部が互いに反対方向に約４５度の角度で曲がった管状の保持柄１１を設け、保持柄１１は薄肉の鋼管で全長が約１４０cmの長さの両端から１４〜２０cmの位置で曲げて形成される。
【００１９】
保持柄１１の上方となる端部には握り１３がはめ込まれ、下方となるもう一端に一本の針状刃先１２が装着される。
【００２０】
針状刃先１２が装着される保持柄１１の一端に挿入される、針状刃先固定棒１４を設ける。針状刃先固定棒１４は、略円筒棒状で、針状刃先１２が挿入される側と、使用時に保持柄１１内に挿入される側の外径は、保持柄１１の内径よりやや小さく形成され、その中間部は保持柄１１の外径より大とした大径部１４ｂとなっている。
【００２１】
針状刃先固定棒１４の大径部１４ｂが保持柄１１の端面に接当し、針状刃先固定棒１４の大径部１４ｂから針状刃先１２側を徐々に小径となる円錐状の傾斜面１４ｃとする。
【００２２】
針状刃先固定棒１４の使用時に保持柄１１内に挿入される側の中間部は径の小さい小径段部とし、保持柄１１の先端部上方から挿入される押しネジ１１ａがこの小径段部にはまり込み固定される。つまり、この押しネジ１１ａを締め付ける、あるいは緩めることにより、針状刃先固定棒１４が保持柄１１に着脱可能に固定される。
【００２３】
針状刃先固定棒１４に挿入される針状刃先１２を設ける。針状刃先固定棒１４の針状刃先１２が挿入される側の中心に針状刃先１２の基部の外径よりやや大きな径の取付け孔を開け、この取付け孔に針状刃先１２の基部が挿入され、針状刃先固定棒１４の先端部から挿入される押しネジ１４ａにより固定される。つまり、この押しネジ１４ａを締め付ける、あるいは緩めることにより、針状刃先１２が針状刃先固定棒１４に着脱可能に固定される。
【００２４】
針状刃先１２は、直径約６mmの焼入れした鋼棒で形成され、その長さは約１６cmとし、その基部の約３cmが針状刃先固定棒１４に挿入され、その先端部１２ａは氷雪２に突き刺すために尖っており、その先端部１２ａから約３cmの間に渡る円錐形状とした。
【００２５】
次に氷雪割り具１０の使用方法について説明する。
【００２６】
路面１に薄く踏み固められた氷雪２の場合には、図１に示すように、針状刃先１２をほぼ水平にした状態で、保持柄１１の中間部と握り１３を両手で持ち、氷雪割り具１０を押して路面１と氷雪２の間に針状刃先１２をほぼ水平に挿入し、引き戻して再び挿入する作業を繰り返す。
【００２７】
尖った円錐形状の先端部１２ａを路面１との間に挿入された氷雪２は、少ない力で細かく割り砕かれる。
【００２８】
このとき、針状刃先固定棒１４の大径部１４ｂから針状刃先１２側を徐々に小径となる傾斜面１４ｃとし、傾斜面１４ｃにより針状刃先固定棒１４の大径部１４ｂが路面１や氷雪２の凹凸に引っ掛かることが無いから、スムーズに氷雪２を割り砕く作業ができる。
【００２９】
また、針状刃先固定棒１４の大径部１４ｂが保持柄１１の端面に接当し、針状刃先固定棒１４の大径部１４ｂを保持柄１１の外径より大とし、大径部１４ｂのみが路面１や氷雪２に接し、保持柄１１の端面が路面１や氷雪２の凹凸によりめくれることが無いから、スムーズに氷雪２を割り砕く作業ができる。
【００３０】
路面１に厚く踏み固められた氷雪２の場合には、図２に示すように、針状刃先１２を少し立てた状態で、保持柄１１の中間部と握り１３を両手で持ち、氷雪割り具１０を軽く斜め前後に動かす。
【００３１】
尖った円錐形状の先端部１２ａを突き刺された氷雪２は、少ない力で細かく割り砕かれる。踏み固められた氷雪２が薄くなれば、前記のように針状刃先１２をほぼ水平にした状態で割り砕く。
【００３２】
氷雪２の割り砕き作業を終えた氷雪割り具１０は、押しネジ１１ａを緩め、図５に示すように針状刃先１２の基部を針状刃先固定棒１４に挿入固定した状態で保持柄１１から取り外し、図６に示すように針状刃先１２の先端部１２ａから保持柄１１に挿入し、押しネジ１１ａを締め付けて針状刃先固定棒１４を保持柄１１に固定し、保管する。
【００３３】
なお、再び使用する際には、押しネジ１１ａを緩め、針状刃先１２の基部を針状刃先固定棒１４に挿入固定した状態で保持柄１１から取り外し、図４に示すように針状刃先固定棒１４を保持柄１１に挿入し、押しネジ１１ａを締め付けて針状刃先１２を保持柄１１に固定する。
【００３４】
また、使用により、針状刃先１２の先端部１２ａが摩滅した際には、押しネジ１４ａを緩め、針状刃先固定棒１４から針状刃先１２を取り外して交換できる。
【００３５】
以上の実施例では、押しネジ１１ａにより針状刃先固定棒１４を保持柄１１に着脱可能に固定した例を示したが、簡単に着脱可能であればどのような方法でも良い。
【図面の簡単な説明】
【００３６】
【図１】氷雪割り具の針状刃先固定棒の一実施例に係る側面図である。
【図２】その別の使用状態を示す図である。
【図３】図１の要部を示す部分拡大図である。
【図４】図３の一部を切り欠いた部分拡大図である。
【図５】図４の使用状態を示す図である。
【図６】図４の使用状態を示す図である。
【図７】従来の氷雪割り具の針状刃先固定棒の部分側面図である。
【符号の説明】
【００３７】
１０  氷雪割り具
１１  保持柄
１２  針状刃先
１４  針状刃先固定棒
１４ｂ  大径部
１４ｃ  傾斜面
【図１】
0003101992.tif 000003
【図２】
0003101992.tif 000004
【図３】
0003101992.tif 000005
【図４】
0003101992.tif 000006
【図５】
0003101992.tif 000007
【図６】
0003101992.tif 000008
【図７】
0003101992.tif 000009